(57)【特許請求の範囲】
【請求項１】
表裏対をなす表表紙部及び裏表紙部、又は表表紙部と裏表紙部と背表紙部とを有するファイル本体と、このファイル本体の表表紙部、裏表紙部又は背表紙部のいずれかの表面又は内面に接着されるシート材とを備え、シート材の一部を、その表面に突部を形成してファイル本体に接着したファイルにおいて、前記シート材の周縁部の全部又は一部に対応するファイル本体の表面又は内面の一部を窪ませた凹部を形成し、シート材の周縁部において反貼り付け面側に表出する突部の頂部がそれに対応するファイル本体の表面又は内面と略面一乃至低くなるように、該シート材の周縁部を前記凹部内に位置づけてファイル本体に接着していることを特徴とするファイル。
【請求項２】
シート材の周縁部を前記凹部内でファイル本体と部分的に加圧し加熱等して溶着することにより接着している請求項１記載のファイル。
【請求項３】
表表紙部の一部又は裏表紙部の一部にその厚みを貫通する開口窓を形成するとともに、該開口窓を塞ぐ位置にシート材を配置し、このシート材の周縁部の略全域に対応する表表紙部又は裏表紙部の表面又は内面に前記凹部を形成し、該凹部内においてシート材の周縁部の略全域を接着している請求項１又は２記載のファイル。
【請求項４】
シート材を、表表紙部又は裏表紙部の内面側に接着している請求項３記載のファイル。
【請求項５】
シート材の周縁部のうち一部にファイル本体に接着されない非接着部を設け、シート材とそれを接着したファイル本体の部位とによって、前記非接着部とファイル本体の表面又は内面との間にシート状をなす他の部材を挿入し得るポケット部を形成している請求項１、２、３又は４記載のファイル。
【請求項６】
ファイル本体が、発泡樹脂素材からなるものである請求項１、２、３、４又は５記載のファイル。
【請求項７】
シート材が透明又は半透明の樹脂フィルムからなるものである請求項１、２、３、４、５又は６記載のファイル。
【発明の詳細な説明】
【０００１】
【発明の属する技術分野】
本発明は、用紙や用紙を収容する用紙ホルダ等を保持するファイルに関するものである。
【０００２】
【従来の技術】
従来より、この種のファイルには、表表紙部及び裏表紙部、又は表表紙部及び裏表紙部と背表紙部とを有するファイル本体に、それとは別体をなすシート材を接着したものがある。このようなものとしては、例えば、ファイル本体のうち表表紙部にその厚みを貫通する開口窓を設けるとともに、この開口窓をシート材によって塞ぎ、ファイルを閉じた状態でも、開口窓を通じてそのファイルに綴じている用紙等の内容物を外部から視認可能としたものや、ファイル本体の表表紙部又は裏表紙部の表面又は内面、あるいは背表紙部の表面等にシート材をその周縁部の一部を除いて接着してポケット部を形成し、このポケット部にネームカード等を差し込むことによってファイルに綴じた書類タイトル等を表示するようにしたもの等が挙げられる。このようなファイルでは、ファイル本体にシート材を溶着等の手段により接着しているのが通例である。
【０００３】
【発明が解決しようとする課題】
このようなファイルでは、シート材をファイル本体に接着する際に、その接着部分に連続した凹凸を形成する場合がある。これは、シート材をファイル本体に溶着により接着する場合に生じる形状であるが、このような凹凸形状は、極めて幅の狭い範囲での溶着を実現し、しかも溶着部位の見栄えの良さと溶着強度の良好さをも実現するために採用される溶着手法によって形成される。その際、例えばシート材の周縁部に沿って所定ピッチで連続的に加圧及び加熱することによりシート材をファイル本体に溶着した場合に特に顕著に凹凸形状が生じる。ところが、このような凹凸が生じていると、例えばシート材をファイル本体の内面側に接着している場合には、その凹凸によってファイルに綴じられた用紙や用紙ホルダの表面に跡や傷が付く可能性がある。また、シート材をファイル本体の表面側に設けているか内面側に設けているかを問わず、凹凸の凸部分が鋭利な形状となっていると、ファイルの使用者が指に怪我をしかねないと考えられる。
【０００４】
そこで本発明は、以上のような問題に鑑みて、使用者や内部に綴じた用紙等に対する安全性が高く、外観も良好なファイルを提供することを主たる目的としている。
【０００５】
【課題を解決するための手段】
すなわち、本発明のファイルは、表裏対をなす表表紙部及び裏表紙部、又はそれらに加えて背表紙部を有するファイル本体と、このファイル本体の表表紙部、裏表紙部又は背表紙部のいずれかの表面又は内面に接着されるシート材とを備え、シート材を、その表面に突部を形成してファイル本体に接着したファイルであって、シート材の周縁部の全部又は一部に対応するファイル本体の表面又は内面の一部を窪ませた凹部を形成し、シート材の周縁部において反貼り付け面に表出する突部の頂部がそれに対応するファイル本体の表面又は内面と略面一乃至低くなるように、そのシート材の周縁部を凹部内に位置づけてファイル本体に接着していることを特徴とするものである。
【０００６】
このような構成のファイルであれば、接着手段の如何を問わず、シート材をファイル本体に接着する際に生じた突部がファイル本体に形成した凹部内に略埋没する状態となる。したがって、シート材をファイル本体の内面側に接着した場合には、突部によって生じていたファイルに綴じた用紙や用紙ホルダへの傷付を容易に防止することができ、シート材をファイル本体の表面側に接着した場合には、例えばファイルを棚などに収納した際にこのファイルに隣接配置される他のファイル等の物品の表面への傷付を防止することができる。さらに、シート材がファイルの表面側又は内面側のいずれに接着した場合であっても、使用者が指を突部に引っ掛けて怪我をする可能性も有効に予防することができる。
【０００７】
このようなファイルによる有用性は、特に鋭利な突部が生じやすい、シート材の周縁部を凹部内でファイル本体と部分的に加圧し加熱等して溶着した場合に極めて効果的である。溶着方法には、この他にも例えば超音波溶着も含まれる。
【０００８】
シート材のファイル本体に対する配置態様の一例としては、表表紙部の一部又は裏表紙部の一部にその厚みを貫通する開口窓を形成するとともに、この開口窓を塞ぐ位置にシート材を配置し、このシート材の周縁部の略全域に対応する表表紙部又は裏表紙部の表面又は内面に凹部を形成し、この凹部内においてシート材の周縁部の略全域を接着したものが挙げられる。この場合、ファイルの外観を良好なものとし、さらに内部の用紙等への損傷を有効に防止するには、シート材を、表表紙部又は裏表紙部の内面側に接着するとよい。
【０００９】
シート材のファイル本体に対する他の配置態様の例としては、シート材の周縁部のうち一部にファイル本体に接着されない非接着部を設け、シート材とそれを接着したファイル本体の部位とによって、非接着部とファイル本体の表面又は内面との間にシート状をなす他の部材を挿入し得るポケット部を形成したものが挙げられる。
【００１０】
以上のファイルでは、ファイル本体の表面又は内面に凹部が形成されるが、凹部を形成した面とは反対側の面にその凹部の痕跡を表出させないようにするには、ファイル本体を、発泡樹脂素材から形成することが好ましい。一方、上記開口窓やポケット部の本来の機能を有用なものとするには、シート材を透明又は半透明の樹脂フィルムから形成することが好ましい。
【００１１】
【発明の実施の形態】
以下、本発明の一実施形態を、図面を参照して説明する。
【００１２】
図１に示す本実施形態のファイル１は、内部に図示しない用紙等を綴じることができるようにしたものであって、樹脂製のファイル本体２を主体とし、このファイル本体２に、２種類のシート材３、４を接着し、さらに用紙等を綴じるための綴じ具５を設けた構成を有するものである。
【００１３】
まず、ファイル本体２は、図１及び図２に示すように、例えばＡ４規格の用紙等に対応するサイズを有するものであり、いずれも概略矩形板状の表表紙部２１及び裏表紙部２２、及び所定の収容枚数に対応する幅の矩形板状の背表紙部２３を一体に備えている。このファイル本体２は、発泡樹脂素材の一体成形品であり、表表紙部２１と背表紙部２３、及び裏表紙部２２と背表紙部２３を区分する境界部分を若干薄肉として、その部分で折り曲げ可能なヒンジ部２ａ、２ｂを形成している。また、表表紙部２１には、表表紙部２１と裏表紙部２２とを対向させたファイル１を閉じた状態において、裏表紙部２２の内面側又は綴じ具５に綴じた用紙等の最表面を外部から視認可能とする概略矩形状をなす開口窓２４を厚み方向に貫通させて形成している。なお、この開口窓２４は、後述する第１のシート材３によって塞がれる。また、表表紙部２１の内面２１ｂにおける開口窓２４の周縁部の周囲には、図３、図４、図５及び図６に示すように、第１のシート材３の形状及び大きさに対応して開口窓２４よりも一回り大きい概略矩形状をなす凹部２５を形成している。なお、図６は、凹部２５の近傍を拡大して示す概略的な斜視図である。この凹部２５は、表表紙部２１の内面２１ｂに対して成形時に所定の圧力を加えることによって内面２１ｂを部分的に凹没させて形成したものであり、その凹没深さは例えば表表紙部２１の厚み寸法の略半分として、表面２１ａ側には至らないようにしている。また、背表紙部２３の表面２３ａには、図１、図３及び図４に示すように、後述する第２のシート材４を取り付けることによって、ポケット部２６を形成しており、このポケット部２６に、ファイル本体２の内側に綴じた用紙等からなる書類のタイトル等を記載したネームカード等（図示省略）を収納できるようにしている。そして、背表紙部２３の表面２３ａには、第２のシート材４の形状及び大きさに対応して正面視縦長のＵ字形状をなす凹部２７を形成している。この凹部２７も、前記凹部２５と同様に、その凹没深さを例えば背表紙部２３の厚み寸法の略半分として、裏面２３ｂ側には至らないようにしている。なお、第２のシート材４の上縁部４１ａに対応する部位には凹部２７を形成していないのは、この部位には第２のシート材４を接着せずに、前記ネームカード等をポケット部２６に出し入れするためである。
【００１４】
第１のシート材３は、上述したように開口窓２４よりも一回り大きい概略矩形状をなす樹脂製透明フィルムからなるものである。そしてその周縁部３１の全域を、図５（ａ）に示すように開口窓２４の周囲の凹部２５内に位置づけて第１のシート材３側から所定の圧力を掛け、さらに加熱することによって、凹部２５内で表表紙部２１に溶着する。このとき、加圧及び加熱により、第１のシート材３の周縁部３１に沿って、所定ピッチで連続的に第１のシート材３の反接着面３ａ側に突出する突部３２が多数形成されるような溶着方法を採用している。そして、図５（ｂ）に示すように、この突部３２の高さが凹部２５の深さと略同一となり、突部３２の頂部３２ａが表表紙部２１の内面２１ａと略面一となるように、突部３２の全体を凹部２５に埋没させている。
【００１５】
第２のシート材４も、前記第１のシート材３と同様の樹脂製透明フィルムからなり、背表紙部２３の形状に対応して縦長の概略矩形状をなすものである。そして、この第２のシート材４の周縁部における上縁部４１ａを除く下縁部４１ｂ及び両側縁部４１ｃを、背表紙部２３に形成した凹部２７に位置付けてこの凹部２７内に溶着している。なお、この溶着方法は、第１のシート材３の凹部２５に対する溶着方法と同様である。したがって、第２のシート材４の下縁部４１ｂ及び両側縁部４１ｃにも第１のシート材３の周縁部３１と同様の突部４２が反接着面４ａ側に連続的に形成されており、この突部４２が凹部２７に埋没して、突部４２の頂部４２ａが背表紙部２３の表面２３ａと略面一となるようにしている。なお、第２のシート材４の周縁部における上縁部４１ａに、概略半円形状をなす切り欠き部４１ｄを形成しているのは、この切り欠き部４１ｄを通じてポケット部２６へのネームカード等の出し入れを容易にするためである。
【００１６】
綴じ具５は、本実施形態では背表紙部２３の内面側に配置されるベース部５１を複数のリベット５３を用いて背表紙部２３に固定し、このベース部５１に複数のリング５２を操作部５４の操作により開閉可能に設けた一般的なリング式の綴じ具５であるため、詳細な説明は省略する。なお、綴じ具としては、このような構成のもの以外にも、用紙等を綴じる機能を有するものであれば種々のものを適用することができる。
【００１７】
以上のような構成からなる本実施形態のファイル１では、ファイル本体２の表表紙部２１及び裏表紙部２３にそれぞれシート材３、４を貼り付けているが、それらシート材３、４の周縁部３１、４１ｂ、４１ｃが位置付けられる箇所に凹部２５、２７を形成し、この凹部２５、２７内でシート材３、４をファイル本体２に溶着により接着している。そして、その溶着時に、シート材３、４の周縁部３１、４１ｂ、４１ｃに形成される突部３２、４２の頂部３２ａ、４２ａが、表表紙部２１の内面２１ａ及び背表紙部２３の表面２３ａと略面一となるようにしているので、突部がそれら内面２１ａや表面２３ａよりも突出することがない。そのため、特に表表紙部２１の内面２１ａ側では、溶着により形成される第１のシート材３の突部３２によって、ファイル本体２の内側に綴じられた用紙や用紙ホルダ等の表面に傷が生じるのを有効に防止することができる。また、第１のシート材３及び第２のシート材４のいずれの突部３２も、凹部２５、２７内に略面一になっているので、この突部２５、２７に使用者が指を引っ掛けて怪我をするような自己も未然に防止することが可能である。
【００１８】
また、ファイル本体２は、発泡樹脂成形品であるため、凹部２５、２７の痕跡がそれらを形成したのとは反対側の面、すなわち、表表紙部２１の表面２１ａ及び背表紙部２３の内面２３ｂに表出しにくいため、ファイル１の外観を極めて良好に保つことができる。
【００１９】
さらに、第１のシート材３は、表表紙部２１に形成される開口窓２４を閉塞するものであり、また第２のシート材４は、背表紙部２３に形成されるポケット部２６を構成するものであって、何れのシート材３、４も透明な樹脂フィルムから形成したものであるため、開口窓２４を通じて閉じたファイル本体２の内部を外部から見えるようにしたり、ポケット部２６の内部に挿入したネームカードを外部から見えるようにするという、窓部２４やポケット部２６の本来の機能を有効なものとすることができる。
【００２０】
なお、本発明は上述した実施形態に限られるものではなく、ファイル本体を紙製としてシート材を接着する態様を採用することもできるし、突部を上述したような間欠的に形成するのではなく、直線状又は曲線状に連続的に形成することもできる。また、ファイル本体の各部の大きさや構成、窓部やポケット部の有無あるいは位置、シート材の数や配置箇所など、各部の具体的構成についても、本発明の趣旨を逸脱しない範囲で種々変形が可能である。
【００２１】
【発明の効果】
以上に詳述したように、本発明のファイルは、ファイル本体の表面又は内面に、ファイル本体に形成される開口窓の閉塞用やネームカードを差し込むポケット部の形成用等の種々の用途で別体をなすシート材を接着するに際して、ファイル本体に接着されるべきシート材の周縁部の全部又は一部に対応する箇所に、表面又は内面の一部を凹没させて凹部を形成し、この凹部内にシート材の周縁部を接着することで、その接着箇所においてシートにの形成される突部の頂部が、ファイル本体の表面又は内面と略面一となるかそれよりも低くなるように構成したものである。このため、ファイル本体の表面又は内面から接着時に形成されたシート材の突部が突出することがなく、従来の問題点であったファイル内部に閉じた用紙の表面等への傷付きや、使用者の怪我、棚等への収納時の他のファイル等への傷付きを有効に防止することが可能である。
【図面の簡単な説明】
【図１】本発明に係る一実施形態を示す斜視図。
【図２】同実施形態のファイルの内面側を示す平面図。
【図３】同実施形態のファイルを背表紙部側から見た状態を示す正面図。
【図４】図２におけるＡ−Ａ線断面図。
【図５】図２におけるＢ−Ｂ線断面図。
【図６】同実施形態における開口窓の近傍を拡大して示す斜視図。
【符号の説明】
１…ファイル
２…ファイル本体
３、４…シート材（第１のシート材、第２のシート材）
３ａ、４ａ…反接着面
２１…表表紙部
２１ａ…表面
２１ｂ…内面
２２…裏表紙部
２３…背表紙部
２３ａ…表面
２３ｂ…内面
２４…開口窓
２５、２７…凹部
２６…ポケット部
３１…周縁部
４１ａ、４１ｂ、４１ｃ…周縁部（上縁部、下縁部、側縁部）
３２、４２…突部
３２ａ、４２ａ…頂部
【図１】
0004018451.tif 000002
【図２】
0004018451.tif 000003
【図３】
0004018451.tif 000004
【図４】
0004018451.tif 000005
【図５】
0004018451.tif 000006
【図６】
0004018451.tif 000007